(57)【要約】      （修正有）【課題】テーブル型炬燵の側面のみを被覆する被覆物と、その下部に収納用凹部が形成されてなるテーブル型炬燵であって、前記被覆物が使用されてなるものの提供。【解決手段】中央に空間があり、その空間の周囲に略放射状に配された布団、布又はその類似物を備えるテーブル型炬燵の側面に配される被覆物であって、前記布団等の内周の長さは、テーブル型炬燵の当該被覆物が取り付けられる部分の総延長と略同一であり、前記布団等には、その外周側から内周側に向かって、その内周寄りの一部を除いて切り込みがあり（切り込みの中の一つは、前記布団等を切り離すものであってもよい）、切り込みの数は、テーブル型炬燵と共に使用される椅子の数と同数以上であり、且つ、前記布団等の内周に近い個所には、被覆物をテーブル型炬燵に取り付けるための取り付け手段が形成されてなるもの、及びこのような被覆物で側面が被覆されたテーブル型炬燵を使用する。【選択図】図２
0003121101.tif 000002
【実用新案登録請求の範囲】
【請求項１】
中央に空間があり、その空間の周囲に略放射状に配された布団、布又はその類似物を備えるテーブル型炬燵の側面に配される被覆物であって、前記布団、布又はその類似物の内周の長さは、前記テーブル型炬燵の当該被覆物が取り付けられる部分の総延長と略同一であり、前記布団、布又はその類似物の外周の長さは、前記内周の長さの１．５乃至５倍であり、前記布団、布又はその類似物の幅は、前記テーブル型炬燵の当該被覆物の取り付け位置から床までの高さと同等又はそれよりもやや大きく、前記布団、布又はその類似物には、その外周側から内周側に向かって、その内周寄りの一部を除いて切り込みがあり、但し、当該切り込みの中の一つは、前記布団、布又はその類似物を切り離すものであってもよく、当該切り込みの数は、テーブル型炬燵と共に使用される椅子の数と同数以上であり、且つ、前記布団、布又はその類似物の前記内周に近い個所には、前記被覆物を前記テーブル型炬燵に取り付けるための取り付け手段が形成されてなる、テーブル型炬燵の側面被覆物。
【請求項２】
前記布団、布又はその類似物には、ギャザー、プリーツ及びフレアからなる群から選択される一種以上が形成されており、その結果、その外周の長さがその内周の長さの１．５乃至５倍となっている、請求項１に記載のテーブル型炬燵の側面被覆物。
【請求項３】
前記布団、布又はその類似物が、布団、キルト、織布、編み物、不織布及び毛布からなる群から選択される一種以上である、請求項１又は２に記載のテーブル型炬燵の側面被覆物。
【請求項４】
テーブル型炬燵の側面被覆物セットであって、当該セットを構成する少なくとも二つの部材を使用時の形態となるように組み合わせたときに、中央に空間があり、その空間の周囲に略放射状に配された布団、布又はその類似物を備え、前記布団、布又はその類似物の内周の長さは、前記テーブル型炬燵の当該被覆物が取り付けられる部分の総延長と略同一であり、前記布団、布又はその類似物の外周の長さは、前記内周の長さの１．５乃至５倍であり、前記布団、布又はその類似物の幅は、前記テーブル型炬燵の当該被覆物の取り付け位置から床までの高さと同等又はそれよりもやや大きく、前記布団、布又はその類似物には、その外周側から内周側に向かって、その内周寄りの一部を除いて切り込みがあり、但し、当該切り込みの中の二つ以上は、前記布団、布又はその類似物を切り離すものであり、当該切り込みの数は、テーブル型炬燵と共に使用される椅子の数と同数以上であり、且つ、前記布団、布又はその類似物の前記内周に近い個所には、前記被覆物を前記テーブル型炬燵に取り付けるための取り付け手段が形成されてなる、テーブル型炬燵の側面被覆物セット。
【請求項５】
テーブル型炬燵の側面に配される被覆物であって、当該テーブル型炬燵と共に使用される椅子の数と同数以上の、略台形のスカート部であってその高さはテーブル型炬燵の当該被覆物の取り付け位置から床までの高さと同等又はそれよりもやや大きいスカート部と、当該スカート部の外側であってその上部に取り付けられており、少なくとも二つのスカート部と結合する略四辺形の上スカート部一つ以上とを備えており、ここにおいて、前記スカート部同士は直接には結合されておらず、前記上スカート部の高さは、スカート部同士が結合されていないために形成されるスカート部間の空間の高さ以上且つスカート部の高さ未満であり、スカート部の下辺の長さの合計は、上スカート部の上辺又は（上スカート部の上辺＋スカート部の上辺であって使用時に上スカート部がない部分）の長さの合計の１．５乃至５倍であり、上スカート部の上辺又は（上スカート部の上辺＋スカート部の上辺であって使用時に上スカート部がない部分）の長さの合計は、前記テーブル型炬燵の当該被覆物が取り付けられる部分の総延長と略同一であり、そして、前記スカート部及び／又は上スカート部の上部には、前記被覆物を前記テーブル型炬燵に取り付けるための取り付け手段が形成されてなる、テーブル型炬燵の側面被覆物。
【請求項６】
上スカート部が一つであり、その一端部は、一つのスカート部の上部に脱着可能である、請求項５に記載のテーブル型炬燵の側面被覆物。
【請求項７】
上スカート部が二つ以上あり、前記被覆物が前記テーブル型炬燵に取り付けられた状態において、前記スカート部の少なくとも一部には二つの上スカート部が取り付けられている状態となる、請求項５に記載のテーブル型炬燵の側面被覆物。
【請求項８】
上スカート部が、上辺の長さよりも下辺の長さが大きいものである、請求項５乃至７のいずれか一項に記載のテーブル型炬燵の側面被覆物。
【請求項９】
テーブル型炬燵の側面に配される被覆物セットであって、当該セットを構成する少なくとも二つの部材を使用時の形態となるように組み合わせたときに、当該テーブル型炬燵と共に使用される椅子の数と同数以上の、略台形のスカート部であってその高さはテーブル型炬燵の当該被覆物の取り付け位置から床までの高さと同等又はそれよりもやや大きいスカート部と、当該スカート部の外側であってその上部に取り付けられ、少なくとも二つのスカート部と結合して使用される略四辺形の上スカート部一つ以上とを備えており、ここにおいて、前記スカート部同士は、使用時にも直接には結合されず、前記上スカート部の高さは、スカート部同士が結合されていないために形成されるスカート部間の空間の高さ以上且つスカート部の高さ未満であり、スカート部の下辺の長さの合計は、上スカート部の上辺又は（上スカート部の上辺＋スカート部の上辺であって使用時に上スカート部がない部分）の長さの合計の１．５乃至５倍であり、上スカート部の上辺又は（上スカート部の上辺＋スカート部の上辺であって使用時に上スカート部がない部分）の長さの合計は、前記テーブル型炬燵の当該被覆物が取り付けられる部分の総延長と略同一であり、そして、前記スカート部及び／又は上スカート部の上部には、前記被覆物を前記テーブル型炬燵に取り付けるための取り付け手段が形成されてなる、テーブル型炬燵の側面被覆物セット。
【請求項１０】
上面部、脚部、凹部、ヒーター部及び凹部用の蓋を備えるテーブル型炬燵であって、前記上面部の中央付近には、耐熱材料製の凹部が形成されており、凹部の底部の外側には、ヒーター部が形成されており、脚部は三つ以上存在し且つ上面部の下側又は側面に取り付けられており、そして、上面部の外周又は外周近傍の下面には、請求項１乃至３及び請求項５乃至８のいずれか一項に記載の側面被覆物あるいは請求項４又は９に記載の側面被覆物セットを取り付けるための取り付け手段が形成されており、当該取り付け手段に前記側面被覆物又は前記側面被覆物セットが取り付けられてなる、テーブル型炬燵。
【請求項１１】
上面部、幕板部、脚部、凹部、ヒーター部及び凹部用の蓋を備えるテーブル型炬燵であって、前記上面部の中央付近には、耐熱材料製の凹部が形成されており、凹部の底部の外側には、ヒーター部が形成されており、幕板部は、前記上面部の側面又は下面であって前記凹部よりも外側に形成されており、脚部は三つ以上存在し且つ上面部の下側又は側面あるいは幕板部の内側角部に取り付けられており、そして、上面部の外周又は外周近傍の下面あるいは幕板部には、請求項１乃至３及び請求項５乃至８のいずれか一項に記載の側面被覆物あるいは請求項４又は９に記載の側面被覆物セットを取り付けるための取り付け手段が形成されており、当該取り付け手段に前記側面被覆物又は前記側面被覆物セットが取り付けられてなる、テーブル型炬燵。
【考案の詳細な説明】
【技術分野】
【０００１】
本発明は、椅子に座って入ることが出来るテーブル型炬燵（以下において、「ハイ・タイプの炬燵」ということもある）の側面を覆う被覆物又は被覆物セットと、そのような被覆物又は被覆物セットを使用してなるテーブル型炬燵に関する。
【背景技術】
【０００２】
近年、住空間の洋式化が進み、和室のない家も増えてきている。そのような中、我が国の伝統的な家具である炬燵も、洋室に合う、椅子に座って入るテーブル型のものが供給されるようになってきた。
【０００３】
テーブル型の炬燵の場合、掛布団として、従来の炬燵（以下において、「ロウ・タイプの炬燵」ということがある）で使用されているものを単に大きくしたものを用いると、椅子の脚と脚との間には掛布団が行き渡らないため、ここから空気が侵入し、あるいは炬燵で暖められた空気が逃げてしまうため、暖房効率が悪いという問題があった。
【０００４】
このような問題に対応して、特許文献１には、炬燵内に隙間風が侵入しないようにした炬燵用掛布団が開示されている。特許文献１に開示の炬燵用掛布団は、炬燵天板とほぼ同じ形状の上面部を有し、その上面部の縁にはスカートと上スカートとが縫い付けられており、スカートは炬燵天板の角部を中心として各辺に沿ってスカート片が延びており且つ床面まで垂れ下がっており、そしてスカート片の幅寸法は下側が大きく、これによって隣のスカートの下端部と重なり合うものであり、逆にスカート上部の幅寸法は小さく、これによって隣のスカートとの間には空間が形成され、さらに空間を塞ぐために上スカートが設けられているものである。
【０００５】
炬燵用掛布団は、従来においては、炬燵の櫓の形状に合わせた正方形、長方形、円形、楕円形等の形状を有しており、櫓の上に掛けて使用されるものであった。
【０００６】
一方、すき焼き、お座敷天ぷらや鍋物等、テーブルにおいて調理をしながら食事をする機会が増えており、そのような用途のために、その下部に熱源（カセット式コンロ等）を収納する部分を有するテーブルが提案されている。しかし、ハイ・タイプの、即ちテーブル型炬燵においては、炬燵の上面部（即ち、天板の下）に掛布団が配されるために、その下部に熱源（カセット式コンロ等）を収納する部分を形成することができなかった。
【０００７】
ところで、櫓の上面部に掛布団が載る必要はないとの考えがあり、実際、そのような櫓の上面部に対応する個所が空間となっているロウ・タイプの炬燵用掛布団が提案されている。
【０００８】
特許文献２に開示されたロウ・タイプの炬燵用の掛布団は、中央部が空間となっているものであって、炬燵用掛布団の前記空間部の周囲に設けられた着脱自在テープを、炬燵周辺下部に設けられた着脱自在テープに取り付けて使用されるものである。
【０００９】
特許文献３に開示されたロウ・タイプの炬燵用の穴明き掛布団は、櫓にスカートのように履かせて使用されるものである。この掛布団の櫓への固定手段としては、ゴムや紐での緊縛、櫓の脚上部やテーブル裏面に取り付けられたフックへの係止が挙げられている。
【００１０】
特許文献４には、ロウ・タイプの炬燵櫓のテーブル枠の外側周囲に、カーテン上布が鋲で止められており、その下端にカーテン下布をファスナーで取り付けてなるカーテン付けテーブル炬燵が開示されている。このカーテン下布は、炬燵用掛布団の役割を担うものである。
【００１１】
【特許文献１】特開２００４−１１３２８０号公報
【特許文献２】実開平２−７３５１０号公報
【特許文献３】実開平２−１０３３６５号公報
【特許文献４】実開平５−５９１１１号公報
【考案の開示】
【考案が解決しようとする課題】
【００１２】
本発明は、テーブル型炬燵用の掛布団の代わりに使用することができる、テーブル型炬燵の側面被覆物又は側面被覆物セットを提供することを目的とする。
【００１３】
また、本発明は、その下部に熱源（カセット式コンロ等）等を収納できる部分が形成されてなるテーブル型炬燵であって、炬燵用掛布団の代わりに上記テーブル型炬燵の側面被覆物又は側面被覆物セットが使用されてなるものを提供することを目的とする。
【課題を解決するための手段】
【００１４】
上記目的を達成するために、本発明者は鋭意検討し、以下の考案を成した。
【００１５】
即ち、第一の考案は、中央に空間があり、その空間の周囲に略放射状に配された布団、布又はその類似物を備えるテーブル型炬燵の側面に配される被覆物であって、前記布団、布又はその類似物の内周の長さは、前記テーブル型炬燵の当該被覆物が取り付けられる部分の総延長と略同一であり、前記布団、布又はその類似物の外周の長さは、前記内周の長さの１．５乃至５倍であり、前記布団、布又はその類似物の幅は、前記テーブル型炬燵の当該被覆物の取り付け位置から床までの高さと同等又はそれよりもやや大きく、前記布団、布又はその類似物には、その外周側から内周側に向かって、その内周寄りの一部を除いて切り込みがあり、但し、当該切り込みの中の一つは、前記布団、布又はその類似物を切り離すものであってもよく、当該切り込みの数は、テーブル型炬燵と共に使用される椅子の数と同数以上であり、且つ、前記布団、布又はその類似物の前記内周に近い個所には、前記被覆物を前記テーブル型炬燵に取り付けるための取り付け手段が形成されてなる、テーブル型炬燵の側面被覆物に関する。
【００１６】
第二の考案は、テーブル型炬燵の側面被覆物セットであって、当該セットを構成する少なくとも二つの部材を使用時の形態となるように組み合わせたときに、中央に空間があり、その空間の周囲に略放射状に配された布団、布又はその類似物を備え、前記布団、布又はその類似物の内周の長さは、前記テーブル型炬燵の当該被覆物が取り付けられる部分の総延長と略同一であり、前記布団、布又はその類似物の外周の長さは、前記内周の長さの１．５乃至５倍であり、前記布団、布又はその類似物の幅は、前記テーブル型炬燵の当該被覆物の取り付け位置から床までの高さと同等又はそれよりもやや大きく、前記布団、布又はその類似物には、その外周側から内周側に向かって、その内周寄りの一部を除いて切り込みがあり、但し、当該切り込みの中の二つ以上は、前記布団、布又はその類似物を切り離すものであり、当該切り込みの数は、テーブル型炬燵と共に使用される椅子の数と同数以上であり、且つ、前記布団、布又はその類似物の前記内周に近い個所には、前記被覆物を前記テーブル型炬燵に取り付けるための取り付け手段が形成されてなる、テーブル型炬燵の側面被覆物セットに関する。
【００１７】
第三の考案は、テーブル型炬燵の側面に配される被覆物であって、当該テーブル型炬燵と共に使用される椅子の数と同数以上の、略台形のスカート部であってその高さはテーブル型炬燵の当該被覆物の取り付け位置から床までの高さと同等又はそれよりもやや大きいスカート部と、当該スカート部の外側であってその上部に取り付けられており、少なくとも二つのスカート部と結合する略四辺形の上スカート部一つ以上とを備えており、ここにおいて、前記スカート部同士は直接には結合されておらず、前記上スカート部の高さは、スカート部同士が結合されていないために形成されるスカート部間の空間の高さ以上且つスカート部の高さ未満であり、スカート部の下辺の長さの合計は、上スカート部の上辺又は（上スカート部の上辺＋スカート部の上辺であって使用時に上スカート部がない部分）の長さの合計の１．５乃至５倍であり、上スカート部の上辺又は（上スカート部の上辺＋スカート部の上辺であって使用時に上スカート部がない部分）の長さの合計は、前記テーブル型炬燵の当該被覆物が取り付けられる部分の総延長と略同一であり、そして、前記スカート部及び／又は上スカート部の上部には、前記被覆物を前記テーブル型炬燵に取り付けるための取り付け手段が形成されてなる、テーブル型炬燵の側面被覆物に関する。
【００１８】
第四の考案は、テーブル型炬燵の側面に配される被覆物セットであって、当該セットを構成する少なくとも二つの部材を使用時の形態となるように組み合わせたときに、当該テーブル型炬燵と共に使用される椅子の数と同数以上の、略台形のスカート部であってその高さはテーブル型炬燵の当該被覆物の取り付け位置から床までの高さと同等又はそれよりもやや大きいスカート部と、当該スカート部の外側であってその上部に取り付けられ、少なくとも二つのスカート部と結合して使用される略四辺形の上スカート部一つ以上とを備えており、ここにおいて、前記スカート部同士は、使用時にも直接には結合されず、前記上スカート部の高さは、スカート部同士が結合されていないために形成されるスカート部間の空間の高さ以上且つスカート部の高さ未満であり、スカート部の下辺の長さの合計は、上スカート部の上辺又は（上スカート部の上辺＋スカート部の上辺であって使用時に上スカート部がない部分）の長さの合計の１．５乃至５倍であり、上スカート部の上辺又は（上スカート部の上辺＋スカート部の上辺であって使用時に上スカート部がない部分）の長さの合計は、前記テーブル型炬燵の当該被覆物が取り付けられる部分の総延長と略同一であり、そして、前記スカート部及び／又は上スカート部の上部には、前記被覆物を前記テーブル型炬燵に取り付けるための取り付け手段が形成されてなる、テーブル型炬燵の側面被覆物セットに関する。
【００１９】
第五の考案は、上面部、脚部、凹部、ヒーター部及び凹部用の蓋を備えるテーブル型炬燵であって、前記上面部の中央付近には、耐熱材料製の凹部が形成されており、凹部の底部の外側には、ヒーター部が形成されており、脚部は三つ以上存在し且つ上面部の下側又は側面に取り付けられており、そして、上面部の外周又は外周近傍の下面には、第一の考案又は第三の考案の側面被覆物あるいは第二の考案又は第四の考案の側面被覆物セットを取り付けるための取り付け手段が形成されており、当該取り付け手段に前記側面被覆物又は前記側面被覆物セットが取り付けられてなる、テーブル型炬燵に関する。
【００２０】
第六の考案は、上面部、幕板部、脚部、凹部、ヒーター部及び凹部用の蓋を備えるテーブル型炬燵であって、前記上面部の中央付近には、耐熱材料製の凹部が形成されており、凹部の底部の外側には、ヒーター部が形成されており、幕板部は、前記上面部の側面又は下面であって前記凹部よりも外側に形成されており、脚部は三つ以上存在し且つ上面部の下側又は側面あるいは幕板部の内側角部に取り付けられており、そして、上面部の外周又は外周近傍の下面あるいは幕板部には、第一の考案又は第三の考案の側面被覆物あるいは第二の考案又は第四の考案の側面被覆物セットを取り付けるための取り付け手段が形成されており、当該取り付け手段に前記側面被覆物又は前記側面被覆物セットが取り付けられてなる、テーブル型炬燵に関する。
【考案の効果】
【００２１】
本発明により、テーブル型炬燵用の掛布団の代わりに使用することができる、テーブル型炬燵の側面被覆物又は側面被覆物セットが提供される。
【００２２】
本発明の側面被覆物又は側面被覆物セットを使用すれば、炬燵用櫓の上面部に対応する部分がない。よって、従来の炬燵用掛布団を使用する場合に比べて軽量である。
【００２３】
また、本発明の側面被覆物セットでは、そのセットを構成する部材毎に洗濯に供することができる。
【００２４】
更に、本発明の側面被覆物又は側面被覆物セットを使用すれば、椅子の脚と脚との間から空気が侵入し、あるいはここから炬燵で暖められた空気が逃げることが防止又は低減されるため、暖房効率がよい。
【００２５】
本発明のテーブル型炬燵においては、炬燵用櫓の上面部の下に熱源等を収納できる部分が形成されているので、テーブルの上に熱源を置いて調理する場合に比べ、高さの観点から、非常に調理がしやすい。
【００２６】
また、本発明のテーブル型炬燵においては、前記熱源等を収納できる部分の更に下に炬燵用熱源（ヒーター等）が配されているので、従来のハイ・タイプの炬燵に比べて熱源（ヒーター等）の位置が低く、よって、暖房効率がよい。
【考案を実施するための最良の形態】
【００２７】
以下に、本考案を詳細に説明する。
【００２８】
本考案において、「布団、布又はその類似物」とは、従来より、炬燵用の掛布団や上掛けに使用されているもの及びその同等物、具体的には、布団（羊毛布団や羽毛布団も含み、綿布団に限定されない）、キルト、織布、編み物、不織布（フリースを含む）、毛布等を指す。
【００２９】
「布団、布又はその類似物」として、その単位面積あたりの重量が５０ｇ／ｍ２乃至２，０００ｇ／ｍ２のものを用いることが好ましい。より具体的には、布団の場合には、２００ｇ／ｍ２乃至１，５００ｇ／ｍ２のものが好ましく、４００ｇ／ｍ２乃至８００ｇ／ｍ２のものがより好ましい。キルトの場合には、１００ｇ／ｍ２乃至１，０００ｇ／ｍ２のものが好ましく、２００ｇ／ｍ２乃至５００ｇ／ｍ２のものがより好ましい。毛布の場合には、３００ｇ／ｍ２乃至１，０００ｇ／ｍ２のものが好ましく、４００ｇ／ｍ２乃至８００ｇ／ｍ２のものがより好ましい。
【００３０】
第三の考案及び第四の考案における「スカート部」及び「上スカート部」も、上記「布団、布又はその類似物」製のものである。
【００３１】
第一の考案及び第二の考案においては、「布団、布又はその類似物」の外周の長さはその内周の長さの１．５乃至５倍であるが、これは、「布団、布又はその類似物」に、例えば、ギャザーを寄せる、プリーツを形成する、フレアを形成することにより、達成され得る。
【００３２】
第一の考案及び第二の考案において、「布団、布又はその類似物」の外周の長さをその内周の長さの１．５乃至５倍とするための上記手段は、第三の考案及び第四の考案において、スカート部の下辺の長さを上辺の長さの１．５乃至５倍とするためにも、同様に適用することができる。
【００３３】
「取り付け手段」は、第一の考案又は第三の考案の側面被覆物や、第二の考案又は第四の考案の側面被覆物セットを、テーブル型炬燵に取り付けるために使用される部材を指す。したがって、本考案において、「取り付け手段」は、前記側面被覆物や側面被覆物セットに形成されているもののみならず、テーブル型炬燵に形成されているものも指す。その例を挙げると、面ファスナー、マグネット、雌雄ボタン、ボタン等の突起物とボタン穴又は掛け紐（ループ）との組合せ、スナップ、鳩目、ファスナー、吊り具付きカーテンレールとフックとの組合せ等がある。
【００３４】
本考案において、「側面被覆物」は、単一構造物を指し、「側面被覆物セット」は、不使用時には二つ以上の部材からなり、それらの部材が組み合わせて使用されるものを指す。
【００３５】
「略台形」とは、台形及び台形に類似する形状を包含する概念である。台形の上辺の下辺に相当する個所は、直線状のみならず、曲線であってもよい。また、上辺の一端と下辺の一端とを結ぶ二つの辺も、直線状のみならず、曲線であってもよい。
【００３６】
「略四辺形」とは、四辺形及び四辺形に類似する形状を包含する概念である。四辺の各々は、直線状のみならず、曲線であってもよい。
【００３７】
次いで、図面を参照しながら、本考案の具体例について説明する。
【００３８】
図１には、第一の考案の側面被覆物１００の一例が、平面図で示されている。また、図２には、その側面被覆物１００をテーブル型炬燵６００に取り付けた状態が、斜視図で示されている。なお、図２においては、テーブル型炬燵６００の部材中、ここでの説明には関係しない部材は記載が省略されている。
【００３９】
図１に示すとおり、側面被覆物１００は、その中央に空間ｓがあり、その空間ｓの周囲には、略放射状に広がる布団、布又はその類似物ａが配されている。布団、布又はその類似物ａのｆ１部とｆ２部との間には切り込みｃ１が、ｆ２部とｆ３部との間には切り込みｃ２が、ｆ３部とｆ４部との間には切り込みｃ３がある。ｆ４部とｆ１部との間の切り込みｃ４は、切り込みｃ１乃至ｃ３とは異なり、布団、布又はその類似物ａの全幅にわたっており、これにより、ｆ４部とｆ１部とは切り離されている。ｆ１部乃至ｆ４部は、各々フレアとなっている。
【００４０】
布団、布又はその類似物ａの内周ｉの長さｘは、この側面被覆物１００を取り付けて使用するテーブル型炬燵６００の当該被覆物１００が取り付けられる部分の総延長と略同一である。即ち、テーブル型炬燵６００の上面部１の外周、具体的には（ｌ１＋ｌ２）×２と略同一である。
【００４１】
また、布団、布又はその類似物ａの外周ｏの長さ、即ちｙ１＋ｙ２＋ｙ３＋ｙ４は、前記内周ｉの長さｘの約２．７倍である。布団、布又はその類似物ａの幅ｗは、この側面被覆物１００を取り付けて使用するテーブル型炬燵６００の当該被覆物１００取り付け位置から床までの高さｈと同等又はそれよりもやや大きい。
【００４２】
側面被覆物１００は、四脚の椅子が使用されるテーブル型炬燵６００に取り付けて使用されるものであり、切り込みの数（四個所）は、使用される椅子の数と同数である。
【００４３】
布団、布又はその類似物ａの内周ｉに近い個所には、裏側に面ファスナーｐ１が縫いつけられている。テーブル型炬燵６００の上面部１の外周にも、面ファスナーｐ２が接着されており、したがって、側面被覆物１００は、取り付け手段である面ファスナーｐ１、ｐ２により、テーブル型炬燵６００に取り付けられる。
【００４４】
第一の考案の側面被覆物において、布団、布又はその類似物の外周の長さは、内周の長さの１．５乃至５倍であり、１．８乃至４倍であることが好ましく、２乃至３．５倍であることが特に好ましい。前記外周の長さが内周の長さの１．５倍未満であると、側面被覆物が椅子の下の空間を完全に覆うことが困難となり、したがって、椅子の下から、炬燵内部の暖められた空気が出て行ったり、外部の冷たい空気が椅子の下から炬燵内部に入ってくる可能性が高まる。
【００４５】
なお、外周の長さと内周の長さとの比は、第一の考案の側面被覆物をテーブル型炬燵に取り付けたときに達成されればよい。したがって、例えば図３に示す側面被覆物１１０のように、布団、布又はその類似物ａの内周ｉ寄りに紐通し部ｂを設けておき、ここに紐ｄを通し、使用時に紐ｄを引っ張る等してｆ１部乃至ｆ４部の上部にギャザーを寄せ、外周の長さ、即ちｙ１＋ｙ２＋ｙ３＋ｙ４が、内周ｉの長さの１．５乃至５倍としてもよい。
【００４６】
また、外周の長さを内周の長さの１．５乃至５倍とするために、例えば図４に示すように、布団、布又はその類似物ａを、パッチワークのように複数の断片ｆ１１、ｆ１２、ｆ１３、ｆ１４、ｆ１５をつなぎ合わせたものとしてもよい。この場合、外周の長さを内周の長さの１．５乃至５倍とするための手段として、ギャザーを寄せる、プリーツを形成する、フレアを形成する等の手段の中の一種のみを使用してもよいし、二種以上を組み合わせて使用してもよい。ちなみに、図４に示す例では、フレアとギャザーが使用されている。また、図４に示す例のように、多段（具体的には３段）構成としてもよい。
【００４７】
布団、布又はその類似物の幅ｗは、テーブル型炬燵の側面被覆物取り付け位置から床までの高さｈよりもやや大きいことが好ましい。このようにすると、切り込み部から炬燵の中に足を入れたときに、布団、布又はその類似物が膝の上にのることによって持ち上げられても、その裾部（外周ｏ）が床まで届くようになるからである。
【００４８】
図１乃至図３に示す例では、四個所の切り込みｃ１乃至ｃ４の中、ｃ４は、布団、布又はその類似物ａを切り離すものである、換言すれば、ｆ１部とｆ４部とはつながっていない。しかし、切り込みｃ４は、ｃ１乃至ｃ３と同様に、布団、布又はその類似物の内周寄りの一部がつながるように形成されてもよい。布団、布又はその類似物を切り離すような切り込みがない場合、第一の考案の側面被覆物は、炬燵の上方からかぶせるか、又はスカートをはくように炬燵の脚を空間ｓに挿入させることにより、炬燵に取り付ける。
【００４９】
本考案の側面被覆物は、その切り込みの一部が閉じられた形態で使用されてもよい。図４に示す例では、側面被覆物１２０の切り込みｃ１、ｃ２……にファスナーｊ１、ｊ２……が取り付けられており、ファスナーｊ１は解放されているが、ファスナーｊ２は閉じられている。このように開閉式の切り込みが形成されている場合には、例えば四人用の炬燵を二人で使用するに際し、四個所の切り込みの中の二個所はファスナーを解放した状態で、他の二個所はファスナーを閉じた状態で使用することができる。
【００５０】
なお、図４に示す例では、取り付け手段として、掛け紐（ループ）ｐ３が形成されている。
【００５１】
第一の考案の側面被覆物を使用する際には、切り込みから炬燵内部に向かって足を挿入する。したがって、切り込みの数は、共に使用される椅子の数と同数以上であり、一般的には同数である。
【００５２】
次に、第二の考案の一例である側面被覆物セット２００について説明する。
【００５３】
図５には、側面被覆物セット２００が、平面図で示されている。また、図６には、そのセット２００を構成する側面被覆部材２０１ａの正面図が記載されている。側面被覆物セット２００は、二つの側面被覆部材２０１ａ、２０１ｂから構成されている。
【００５４】
図５に示すとおり、側面被覆物セット２００は、二つの側面被覆部材２０１ａ、２０１ｂを使用時の形態となるように、即ち、側面被覆部材２０１ａのｅ１部と側面被覆部材２０１ｂのｅ２部とを、及び、側面被覆部材２０１ａのｅ２部と側面被覆部材２０１ｂのｅ１部とを突き合わせたときに、その中央に空間ｓがあり、その空間ｓの周囲には、略放射状に広がる布団、布又はその類似物ａが配されている。側面被覆部材２０１ａ、２０１ｂのいずれも、布団、布又はその類似物ａのｇ１部とｇ２部との間には、内周ｉ寄りの一部を除いて切り込みｃ１が形成されている。また、側面被覆部材２０１ａと側面被覆部材２０１ｂとの突き合わせ部分二個所には、布団、布又はその類似物ａを側面被覆部材２０１ａと側面被覆部材２０１ｂとに切り離す切り込みｃ０がある。側面被覆部材２０１ａ（又は２０１ｂ）を構成するｇ１部及びｇ２部には、プリーツ加工がなされている。
【００５５】
布団、布又はその類似物ａの内周ｉの長さｘは、この側面被覆物セット２００を取り付けて使用するテーブル型炬燵の当該被覆物セット２００が取り付けられる部分の総延長と略同一である。
【００５６】
側面被覆部材２０１ａ（又は２０１ｂ）には、多数のボタン穴ｐ４が形成されており、テーブル型炬燵には、ボタン様突起物が形成されている。その突起物をボタン穴ｐ４に挿入することにより、側面被覆部材２０１ａ、２０１ｂをテーブル型炬燵に取り付ける。
【００５７】
内周の長さと外周の長さとの関係、外周の長さを内周の長さの１．５乃至５倍とするための具体的手段、切り込みの数と使用される椅子の数との関係、布団、布又はその類似物の幅とテーブル型炬燵の当該被覆物セットの取り付け位置から床までの高さとの関係等は、第一の考案の側面被覆物と同様である。
【００５８】
更に、第三の考案の側面被覆物について説明する。
【００５９】
図７には、第三の考案の側面被覆物３００の一例が、平面図で示されている。
【００６０】
側面被覆物３００は、使用される椅子の数と同数、即ち六個所の、略台形のスカート部ｍ１、ｍ２、ｍ３、ｍ４、ｍ５、ｍ６と、当該スカート部の外側であってその上部に取り付けられている四個所の上スカート部ｋ１、ｋ２、ｋ３、ｋ４を備える。スカート部への上スカート部の取り付けは、縫製等、公知の方法による。
【００６１】
図８には、スカート部ｍ１の平面図を示す。その高さｚは、テーブル型炬燵の側面被覆物の取り付け位置から床までの高さと同等又はそれよりもやや大である。
【００６２】
上スカート部ｋ１、ｋ３は長方形であり、上スカート部ｋ２、ｋ４は正方形である。
【００６３】
側面被覆物３００において、スカート部同士は直接には結合されていない。スカート部ｍ１とｍ２との間であって上方には空間ｔ１が、スカート部ｍ２とｍ３との間であって上方には空間ｔ２が、スカート部ｍ３とｍ４との間であって上方には空間ｔ３が、スカート部ｍ４とｍ５との間であって上方には空間ｔ４が、スカート部ｍ５とｍ６との間であって上方には空間ｔ５が、そしてスカート部ｍ６とｍ１との間であって上方には空間ｔ６がある。スカート部の裾部は、互いに未結合のまま重なり合っている。
【００６４】
上スカート部は、少なくとも二つのスカート部と結合する。側面被覆物３００においては、上スカート部ｋ１は、スカート部ｍ１、ｍ２、ｍ３に取り付けられており、上スカート部ｋ２は、スカート部ｍ３、ｍ４に取り付けられており、上スカート部ｋ３は、スカート部ｍ４、ｍ５、ｍ６に取り付けられており、上スカート部ｋ４は、スカート部ｍ６、ｍ１に取り付けられている。なお、上スカート部ｋ４については、より詳細に述べると、スカート部ｍ６には縫製によって取り付けられており、スカート部ｍ１には、側面被覆物３００の使用時に面テープｑ１及びｑ２によって取り付けられるのである。
【００６５】
上スカート部は、スカート部間の空間を覆う役目も果たす。したがって、その高さｖは、前記空間の高さｕよりも大である必要があり、且つスカート部の高さｚ未満である。図７に示された側面被覆物３００では、上スカート部の高さｖは、スカート部の高さｚの約１／２である。
【００６６】
上スカート部の高さｖは、テーブル型炬燵の側面被覆物取り付け手段が形成されている個所の高さや椅子の高さによるが、スカート部の高さｚの通常は約１／４乃至２／３、好ましくは１／３乃至３／５である。また、上スカート部の高さｖは、通常は２０乃至６０ｃｍ、好ましくは２５乃至５０ｃｍ程度である。
【００６７】
また、側面被覆物３００では、スカート部の下辺の長さの合計、即ちｙ１＋ｙ２＋ｙ３＋ｙ４＋ｙ５＋ｙ６は、上スカート部の上辺の長さの合計ｘの約１．５倍である。この比率は１．５乃至５倍であり、１．８乃至４倍であることが好ましく、２乃至３．５倍であることが特に好ましい。
【００６８】
なお、側面被覆物３００では隣接する上スカート部同士が突き合っている（間に空間がない）が、上スカート部間に空間がある場合には、上スカート部の上辺の長さの合計の代わりに、「上スカート部の上辺＋スカート部の上辺であって使用時に上スカート部がない部分の合計」が、ｘ値として用いられる。
【００６９】
上記ｘ値、即ち、上スカート部の上辺の長さの合計、又は、上スカート部の上辺＋スカート部の上辺であって使用時に上スカート部がない部分の合計は、テーブル型炬燵の、側面被覆物が取り付けられる部分の総延長と略同一である。例えば、側面被覆物３００を図２に示すテーブル型炬燵６００に取り付ける場合、上スカート部の上辺の長さの合計ｘは、（ｌ１＋ｌ２）×２と略同一である。
【００７０】
スカート部及び上スカート部の上部には、側面被覆物３００をテーブル型炬燵に取り付けるための取り付け手段である掛け紐（ループ）ｐ３が形成されている。
【００７１】
第三の考案において、スカート部の数がテーブル型炬燵と共に使用される椅子の数と同数以上であるのは、スカート部の数が、第一の考案における切り込み数と同数だからである。側面被覆物３００が使用される際には、スカート部同士の間に椅子が配される。スカート部の数は、テーブル型炬燵と共に使用される椅子の数と同数であることが好ましい。
【００７２】
第三の考案において、上スカート部は一つであってもよい。具体的には、図７における上スカート部ｋ１、ｋ２、ｋ３、ｋ４が、一枚の布で形成されている態様である。また、そのような態様の場合、上スカート部の一端部には面テープ等の付着手段ｑ２が形成され、複数のスカート部の中の一つのスカート部の上部にも面テープ等の付着手段ｑ１が形成され、これらの付着手段によって上スカート部がスカート部に脱着可能であることが好ましい。
【００７３】
上スカート部の形状は、略四辺形であり、正方形や長方形に限定されない。その上辺の長さよりも下辺の長さが大きい略台形や、上辺及び下辺が曲線状のフレアであってもよい。
【００７４】
次に、第四の考案の一例である側面被覆物セットについて説明する。
【００７５】
図９には、側面被覆物セットを構成する側面被覆部材４０１の正面図が記載されている。この側面被覆部材４０１が二つで一組となり、側面被覆物セットとなる。
【００７６】
側面被覆部材４０１においては、二枚のスカート部ｍ１、ｍ２に上スカート部ｋ２が取り付けられており、これによって二枚のスカート部ｍ１、ｍ２の間の空間ｔ０が覆われている。スカート部ｍ１に取り付けられたもう一枚の上スカート部ｋ１は、もう一つの側面被覆部材４０１のスカート部ｍ２に、面ファスナーｑ１（これは、上スカート部ｋ１の裏側に形成されている）と面ファスナーｑ２（これは、もう一つの側面被覆部材４０１のスカート部ｍ２の表側に形成されている）によって取り付けられる。
【００７７】
側面被覆部材４０１においては、二つの上スカート部ｋ１、ｋ２は、突き合わされおらず、したがって、側面被覆部材４０１を二つ一組で使用したときの上スカート部の上辺＋スカート部の上辺であって使用時に上スカート部がない部分の合計ｘ（図９には、側面被覆部材４０１一つに由来する長さであるｘ／２が示されている）が、この側面被覆物セットを取り付けて使用するテーブル型炬燵の当該被覆物セットが取り付けられる部分の総延長と略同一である。
【００７８】
側面被覆部材４０１には、鳩目ｐ５が形成されており、テーブル型炬燵にも、側面被覆部材４０１に形成された鳩目と雌雄の関係となる鳩目が形成されている。それらの鳩目により、二つの側面被覆部材４０１をテーブル型炬燵に取り付ける。
【００７９】
なお、第四の考案の側面被覆物セットは、使用時において第三の考案の側面被覆物と同様の構成となればよい。したがって、上記のような側面被覆部材４０１が二つで一組となる様な形態に限定されず、例えば、四枚の上スカート部と四枚のスカート部とからなり、上スカート部は二枚のスカート部の間の空間を覆うように配されて使用されるようなセットであってもよい。
【００８０】
また、重複を避けるために、ここでは繰り返して説明しないが、第三の考案に関する説明に記載した事項は、第四の考案にも同様に当てはまる。
【００８１】
続いて、第五の考案のテーブル型炬燵について説明する。
【００８２】
図１０は、第五の考案のテーブル型炬燵であって、第一の考案又は第三の考案の側面被覆物あるいは第二の考案又は第四の考案の側面被覆物セットを取り付ける前の状態を示す斜視図である。また、図１１は、図１０におけるＸ−Ｘ位置における断面図である。
【００８３】
このテーブル型炬燵７００は、上面部１、脚部３、凹部５、ヒーター部７及び凹部用の蓋９を備える。上面部１の中央付近には、耐熱材料製の凹部５が形成されており、凹部５の底部の外側には、ヒーター部７が形成されている。
【００８４】
凹部５の材料は、金属、木材、耐熱性樹脂等の耐熱性のものである。
【００８５】
テーブル型炬燵７００においては、脚部３は、四本存在し、上面部１の下側に取り付けられている。
【００８６】
また、上面部１の外周には、本考案の側面被覆物又は側面被覆物セットを取り付けるための取り付け手段である突起物ｐ６が取り付けられている。このテーブル型炬燵７００を使用する際には、この突起物ｐ６を利用して、本考案の側面被覆物又は側面被覆物セットを取り付ける。
【００８７】
ヒーター部７は、炬燵用ヒーター６とヒーターカバー８とを備えている。
【００８８】
テーブル型炬燵７００では、回転式取手１０を回転させて蓋９を取り、凹部５に、加熱装置、例えば、カセットコンロ、磁気加熱装置あるいは電気ヒーターを収納することができる。このような加熱装置の上に鍋を置いたときに、鍋の底は、凹部５の中又は上面部１の表面とほぼ同じ高さとなり得、よって、例えば鍋料理やお座敷天ぷらを行う際に、鍋への材料の投入、取り出しが容易となる。
【００８９】
上面部の形状は、正面図で描画したときに正方形又は長方形に限定されない。円、楕円、六角形等でもよい。
【００９０】
脚部の数も、テーブル型炬燵が安定に立つ限り、特に限定されない。このような条件下、脚部の数は三以上であればいくつでもよいが、通常は四脚又は六脚である。
【００９１】
図１０及び図１１に示されたテーブル型炬燵７００では、脚部３は上面部１の下側に取り付けられているが、上面部１の側面に取り付けられていてもよい。
【００９２】
上面部や脚部の材質は、通常炬燵に使用されているもの、例えば木材やプラスチックである。
【００９３】
最後に、第六の考案のテーブル型炬燵について説明する。
【００９４】
図１２は、第六の考案のテーブル型炬燵であって、第一の考案又は第三の考案の側面被覆物あるいは第二の考案又は第四の考案の側面被覆物セットを取り付ける前の状態を示す裏面図である。また、図１３は、図１２に示されたテーブル型炬燵の正面図である。
【００９５】
このテーブル型炬燵８００は、上面部１、幕板部１１、脚部３、凹部５、ヒーター部７及び凹部用の蓋を備える。上面部１の中央付近には、耐熱材料製の凹部５が形成されており、凹部５の底部の外側には、ヒーター部７が形成されている。
【００９６】
幕板部１１は、上面部１の下面であって凹部５よりも外側に形成されている。脚部３は、上面部１の下側であって、幕板部１１の内側角部に取り付けられている。
【００９７】
幕板部１１の外側下方には、本考案の側面被覆物又は側面被覆物セットを取り付けるための吊り具付きカーテンレールｐ７が取り付けられている。
【００９８】
上面部の形状が正面図で描画したときに正方形又は長方形の場合には、幕板部は、上面部の側面や、上面部の下面であっても上面部の外周と幕板部の表面とが面一となるような位置に形成することもできる。
【００９９】
脚部は、上面部の下側又は側面に取り付けられていてもよい。
【０１００】
本考案の側面被覆物又は側面被覆物セットを取り付けるための取り付け手段は、上面部の外周又は外周近傍の下面に形成されていてもよく、また、当該取り付け手段が幕板部に形成される場合であっても、その位置は幕板部の外側下方に限定されず、幕板部の外側上方、内側のいずれかの位置、幕板部の下面等に形成されてもよい。
【０１０１】
なお、脚部の数や各部分の材料については、第五の考案に関して説明したものと同様である。
【図面の簡単な説明】
【０１０２】
【図１】第一の考案の側面被覆物の一例を示す平面図である。
【図２】図１に示された側面被覆物をテーブル型炬燵に取り付けた状態を示す斜視図である。
【図３】第一の考案の側面被覆物の他の例を示す正面図である。
【図４】第一の考案の側面被覆物のさらに他の例の一部を示す模式的正面図である。
【図５】第二の考案の側面被覆物セットの一例を示す平面図である。
【図６】図５に示された側面被覆物セットを構成する側面被覆部材を示す正面図である。
【図７】第三の考案の側面被覆物の一例を示す平面図である。
【図８】図８に示された側面被覆物のスカート部を示す平面図である。
【図９】第四の考案の側面被覆物セットを構成する側面被覆部材を示す正面図である。
【図１０】第五の考案のテーブル型炬燵であって、本考案の側面被覆物又は側面被覆物セットを取り付ける前の状態を示す斜視図である。
【図１１】図１０に示されたテーブル型炬燵のＸ−Ｘにおける断面図である。
【図１２】第六の考案のテーブル型炬燵であって、本考案の側面被覆物又は側面被覆物セットを取り付ける前の状態を示す裏面図である。
【図１３】図１２に示されたテーブル型炬燵の正面図である。
【符号の説明】
【０１０３】
１００、１１０、１２０、３００  側面被覆物
２００  側面被覆物セット
２０１ａ、２０１ｂ、４０１  側面被覆部材
６００、７００、８００  テーブル型炬燵
１  上面部
３  脚部
５  凹部
７  ヒーター部
９  蓋
１１  幕板部
【図１】
0003121101.tif 000003
【図２】
0003121101.tif 000004
【図３】
0003121101.tif 000005
【図４】
0003121101.tif 000006
【図５】
0003121101.tif 000007
【図６】
0003121101.tif 000008
【図７】
0003121101.tif 000009
【図８】
0003121101.tif 000010
【図９】
0003121101.tif 000011
【図１０】
0003121101.tif 000012
【図１１】
0003121101.tif 000013
【図１２】
0003121101.tif 000014
【図１３】
0003121101.tif 000015